(57)【要約】  シンプルでコンパクトな構成で、メンテナンス性にも優れる微生物サンプリング装置は、サンプル水を供給する給水配管を接続可能とする給水流路を有するヘッド部と、前記ヘッド部が上部に着脱可能に取り付けられるハウジング部と、骨組構造の筒体、前記筒体内に配設される筒状フィルタ、前記筒状フィルタに連通し前記筒体の一端に取り付けられるカップ、前記筒状フィルタに連通する流路を有し前記筒体の他端に取り付けられるキャップ、を有する。さらに、前記ハウジング部に収容されて前記カップの底部がハウジング部の底部に支持されるフィルタ部と、を備える。前記ヘッド部をハウジング部の上部に取り付けることで、前記ヘッド部の給水流路と前記キャップの流路を連通させて、前記ヘッド部の給水流路から供給されるサンプル水を、前記フィルタ部の筒状フィルタ内に供給可能とされている。
2018151316.tif 000002
【特許請求の範囲】
【請求項１】
水中に存在する微生物をサンプリングする微生物サンプリング装置において、
サンプル水を供給する給水配管を接続可能とする給水流路を有する蓋部と、
前記蓋部が、または、前記蓋部に、着脱可能に取り付けられるハウジング部と、
前記ハウジング部に収容され、前記サンプル水から前記微生物をろ過するフィルタ部と、
を備えた微生物サンプリング装置。
【請求項２】
前記蓋部はヘッド部であって、
前記ヘッド部が上部に着脱可能に取り付けられる前記ハウジング部と、
骨組構造の筒体、前記筒体内に配設される筒状フィルタ、前記筒状フィルタに連通し前記筒体の一端に取り付けられるカップ、前記筒状フィルタに連通する流路を有し前記筒体の他端に取り付けられるキャップ、を有し、前記ハウジング部に収容されて前記カップの底部が前記ハウジング部の底部に支持される前記フィルタ部と、を備え、
前記ヘッド部を前記ハウジング部の上部に取り付けることで、前記ヘッド部の給水流路と前記キャップの流路を連通させて、前記ヘッド部の給水流路から供給されるサンプル水を、前記フィルタ部の筒状フィルタ内に供給可能とすることを特徴とする請求項１に記載の微生物サンプリング装置。
【請求項３】
前記ヘッド部は、サンプル水を排出する排水配管を接続可能とする排水流路をさらに有し、
前記ヘッド部を前記ハウジング部の上部に取り付けることで、前記ヘッド部の排水流路と前記フィルタ部の外部の空間を連通させて、前記フィルタ部の筒状フィルタを通過したサンプル水を、前記ヘッド部の排水流路から排出可能とする請求項２記載の微生物サンプリング装置。
【請求項４】
前記筒状フィルタを通過しない大きさの微生物が濃縮された濃縮水を排出する排出口を前記カップの底部に設け、前記カップの排出口から前記濃縮水を排出する濃縮水排水部を前記ハウジング部の底部に設ける請求項２又は３記載の微生物サンプリング装置。
【請求項５】
前記ハウジング部に残留するサンプル水を排出するサンプル水排水部を前記ハウジングの底部に設ける請求項２乃至４のいずれかに記載の微生物サンプリング装置。
【請求項６】
前記筒状フィルタ内に供給されるサンプル水を旋回させる整流部を前記キャップの流路内に設ける請求項２乃至５のいずれかに記載の微生物サンプリング装置。
【請求項７】
前記蓋部はベース部であって、
前記ハウジング部は前記ベース部の上部に着脱可能に取り付けられ、
前記ベース部は、前記ベース部に供給された前記サンプル水を前記フィルタ部の内部に給水する開口を備え、
前記フィルタ部は、筒状フィルタ、前記筒状フィルタに連通して取り付けられるカップを有し、
前記カップは、前記カップの底部に開口を有し、前記カップの底部が前記ベース部に支持され、
前記ベース部に設けられた開口から前記カップの底部に設けられた開口を介して、前記サンプル水が前記フィルタ部の内部に給水される、
請求項１に記載の微生物サンプリング装置。
【請求項８】
前記蓋部はベース部であって、
前記ハウジング部は前記ベース部の上部に着脱可能に取り付けられ、
前記ベース部は、前記ベース部に供給された前記サンプル水を前記フィルタ部の内部に給水するパイプを備え、
前記フィルタ部は、筒状フィルタ、前記筒状フィルタに連通して取り付けられるカップを有し、
前記カップは、前記カップの底部に前記パイプを挿通する貫通穴を有し、前記カップの底部が前記ベース部に支持される、
請求項１に記載の微生物サンプリング装置。
【請求項９】
前記ベース部は、前記フィルタ部を通過したサンプル水を排出する排水配管を接続可能とする排水流路をさらに有し、
前記ベース部を前記ハウジング部の下部に取り付けることで、前記ヘッド部の前記排水流路と前記フィルタの外部の空間とを連通させて、前記フィルタ部の前記筒状フィルタを通過したサンプル水を、前記ベース部の前記排水流路から排出可能とする請求項８に記載の微生物サンプリング装置。
【請求項１０】
前記パイプは、前記筒状フィルタを通過しない大きさの微生物が濃縮された濃縮水を、前記カップから排出するために、前記パイプに流出口を備え、
前記ベース部は、前記パイプの前記流出口から流出した前記濃縮水を排出する濃縮水排出部を備えた、請求項８または９に記載の微生物サンプリング装置。
【請求項１１】
前記フィルタ部は、前記筒状フィルタの内側に設けられ、前記筒状フィルタを支持する骨格構造の筒体を備えた、請求項８乃至１０のいずれか一つに記載の微生物サンプリング装置。
【請求項１２】
背面にスタンドを有するフレームを備え、前記請求項１乃至１１のいずれかに記載の微生物サンプリング装置を前記フレームに固定する可搬式微生物サンプリング装置。
【発明の詳細な説明】
【技術分野】
【０００１】
本発明は、バラスト水等の水中に存在するプランクトン等の微生物を生きたままサンプリングする微生物サンプリング装置に関する。
【背景技術】
【０００２】
従来、バラスト水に含まれる生きた微生物の個体数を検査するため、前記バラスト水中に存在する微生物をサンプリングする装置が提案されている（例えば、特許文献１参照。）。【０００３】
図８は、特許文献１に記載された水生生物のサンプリング装置を示す。
特許文献１に記載されたサンプリング装置は、貯水容器３００の内部に略逆円錐形状に形成される濾布３０３を設置し、前記濾布３０３の外側の空間３００Ａと内側の空間３００Ｂに区画するとともに、前記濾布３０３の外側の空間３００Ａにオーバーフロー管３１２と排水口３１３を設け、前記濾布３０３の下端開口３０３ｂに貯留部３０４を連接する構成を備える。【０００４】
前記サンプリング装置は、前記貯水容器３００の濾布３０３の内側にサンプル水を連続して供給し、前記サンプル水をオーバーフロー管３１２から外部へ排水することで、前記貯水容器３００内の貯水量を一定に保ちながら水生生物をサンプリングするものである。【０００５】
そして、前記サンプリング装置によれば、必要量のサンプル水を供給した後に前記貯水容器３００内の水を前記排水口３１３から排水することで、前記濾布３０３を通過することができない大きさの水生生物が濃縮された状態の濃縮水が前記貯留部３０４に貯留され、前記貯留部３０４の底部に接続される採水管３０５を介して前記濃縮水を回収することができる。【０００６】
ところで、特許文献１に記載されたサンプリング装置は、採水管１４２により貯水容器３００にサンプル水を供給するものであるが、前記採水管１４２が、前記貯水容器３００の側部上方から内部に至り、濾布３０３の上端開口３０３ａの内側にかけて配設されるように前記貯水容器３００に一体に組み込まれているため、装置が大型化、複雑化する問題がある。【０００７】
また、前記サンプリング装置は、前記貯水容器３００の内部に前記採水管１４２等が配管されているため、前記貯水容器３００内の清掃や濾布３０３の交換等の作業が難しく、メンテナンス性に問題がある。
【先行技術文献】
【特許文献】
【０００８】
【特許文献１】特許第４８４５８５５号公報
【発明の概要】
【発明が解決しようとする課題】
【０００９】
そこで、本発明は、シンプルでコンパクトな構成で、メンテナンス性にも優れる微生物サンプリング装置を提供することを目的とする。
【課題を解決するための手段】
【００１０】
上記目的を達成するため、本発明の一態様の微生物サンプリング装置は、水中に存在する微細物をサンプリングする装置であって、サンプル水を供給する給水配管を接続可能とする給水流路を有する蓋部と、前記蓋部が、または、前記蓋部に着脱可能に取り付けられるハウジング部と、前記ハウジング部に収容され、前記微生物を前記サンプル水からろ過するフィルタ部と、を備えたことを特徴とする。【００１１】
本発明の一態様の微生物サンプリング装置は、サンプル水を供給する給水配管を接続可能とする給水流路を有するヘッド部と、
前記ヘッド部が上部に着脱可能に取り付けられるハウジング部と、
骨組構造の筒体、前記筒体内に配設される筒状フィルタ、前記筒状フィルタに連通し前記筒体の一端に取り付けられるカップ、前記筒状フィルタに連通する流路を有し前記筒体の他端に取り付けられるキャップ、を有し、前記ハウジング部に収容されて前記カップの底部が前記ハウジング部の底部に支持されるフィルタ部と、を備え、
前記ヘッド部を前記ハウジング部の上部に取り付けることで、前記ヘッド部の給水流路と前記フィルタ部のキャップの流路を連通させて、前記ヘッド部の給水流路から供給されるサンプル水を、前記フィルタ部の筒状フィルタ内に供給可能とすることを特徴とする。【００１２】
本発明の一態様の微生物サンプリング装置は、
前記ヘッド部がサンプル水を排出する排水配管を接続可能とする排水流路をさらに有し、
前記ヘッド部を前記ハウジング部の上部に取り付けることで、前記ヘッド部の排水流路と前記フィルタ部の外部の空間を連通させて、前記フィルタ部の筒状フィルタを通過したサンプル水を、前記ヘッド部の排水流路から排出可能とすることが好ましい。【００１３】
本発明の一態様の微生物サンプリング装置は、
前記筒状フィルタを通過しない大きさの微生物が濃縮された濃縮水を排出する排出口を前記カップの底部に設け、前記カップの排出口から前記濃縮水を排出する濃縮水排水部を前記ハウジング部の底部に設けることが好ましい。【００１４】
本発明の一態様の微生物サンプリング装置は、
前記ハウジング部に残留するサンプル水を排出するサンプル水排水部を前記ハウジングの底部に設けることが好ましい。【００１５】
本発明の一態様の微生物サンプリング装置は、
前記筒状フィルタ内に供給されるサンプル水を旋回させる整流部を前記キャップの流路内に設けることが好ましい。【００１６】
本発明の一態様の微生物サンプリング装置は、
前記蓋部はベース部であって、
前記ハウジング部は前記ベース部の上部に着脱可能に取り付けられ、
前記ベース部は、前記ベース部に供給された前記サンプル水を前記フィルタ部の内部に給水する開口を備え、
前記フィルタ部は、筒状フィルタ、前記筒状フィルタに連通して取り付けられるカップを有し、
前記カップは、前記カップの底部に開口を有し、前記カップの底部が前記ベース部に支持され、
前記ベース部に設けられた開口から前記カップの底部に設けられた開口を介して、前記サンプル水が前記フィルタ部の内部に給水される、ことを特徴とする。【００１７】
本発明の一態様の微生物サンプリング装置は、
前記蓋部がベース部であり、
前記ハウジング部は前記ベース部の上部に着脱可能に取り付けられ、
前記ベース部は、前記ベース部に供給された前記サンプル水を前記フィルタ部の内部に噴水するパイプを備え、
前記フィルタ部は、筒状フィルタ、前記筒状フィルタに連通して取り付けられるカップを有し、
前記カップは、前記カップの底部に前記パイプを挿通する貫通穴を有し、前記カップの底部が前記ベース部に支持される、ことを特徴とする。【００１８】
本発明の一態様の微生物サンプリング装置は、
前記ベース部は、前記フィルタ部を通過したサンプル水を排出する排水配管を接続可能とする排水流路をさらに有し、
前記ベース部を前記ハウジング部の下部に取り付けることで、前記ヘッド部の前記排水流路と前記フィルタの外部の空間とを連通させて、前記フィルタ部の前記筒状フィルタを通過したサンプル水を、前記ベース部の前記排水流路から排出可能とすることが好ましい。【００１９】
本発明の一態様の微生物サンプリング装置は、
前記パイプが、前記筒状フィルタを通過しない大きさの微生物が濃縮された濃縮水を、前記カップから排出するために、前記パイプに流出口を備え、
前記ベース部は、前記パイプの前記流出口から流出した前記濃縮水を排出する濃縮水排出部を備えることが好ましい。【００２０】
本発明の一態様の微生物サンプリング装置は、
前記フィルタ部が、前記筒状フィルタの内側に設けられ、前記筒状フィルタを支持する骨格構造の筒体を備えことが好ましい。【００２１】
本発明の一態様の微生物サンプリング装置は、
背面にスタンドを有するフレームを備え、前記いずれかに記載の微生物サンプリング装置を前記フレームに固定する可搬式微生物サンプリング装置とすることが好ましい。【００２２】
本発明の一態様の微生物サンプリング装置は、給水流路を有するヘッド部を備え、サンプル水を供給する給水配管を前記給水流路に接続可能とするので、前記給水配管を一体に組み込む必要がなく、シンプルでコンパクトな構成とすることができる。【００２３】
また、本発明の一態様の微生物サンプリング装置は、ヘッド部をハウジング部の上部に取り付けることで、前記ヘッド部の給水流路と前記フィルタ部のキャップの流路を連通させることができるので、シンプルでコンパクトな構成とすることができる。【００２４】
さらに、本発明の一態様の微生物サンプリング装置は、ヘッド部をハウジング部の上部から取り外すことで、前記ハウジング部からフィルタ部を取り出すことができるので、前記ハウジング部の清掃や前記フィルタ部の筒状フィルタ（例えば、使い捨て可能な筒状フィルタとして）の交換等の作業が簡単に行える等、メンテナンス性にも優れる。【００２５】
本発明の一態様の微生物サンプリング装置は、排水流路をさらに有するヘッド部を備え、サンプル水を排出する排水配管を前記排水流路に接続可能とすれば、前記排水配管を一体に組み込む必要がなく、さらにシンプルでコンパクトな構成とすることができる。【００２６】
また、本発明の一態様の微生物サンプリング装置は、ヘッド部をハウジング部の上部に取り付けることで、前記ヘッド部の排水流路と前記フィルタ部の外部の空間を連通させることとすれば、オーバーフロー管を設ける必要がないことと相俟って、さらにシンプルでコンパクトな構成とすることができる。【００２７】
さらに、本発明の一態様の微生物サンプリング装置は、ヘッド部、ハウジング部及びフィルタ部を組み付けることで、前記ヘッド部の給水流路から供給されるサンプル水を、前記フィルタ部の筒状フィルタ内に供給可能とし、前記筒状フィルタを通過したサンプル水を、前記ヘッド部の排水流路から排出可能とするので、シンプルでコンパクトな構成となる。【００２８】
そして、本発明の一態様の微生物サンプリング装置は、ヘッド部の給水流路から供給されるサンプル水を、フィルタ部の筒状フィルタ内に供給可能とし、前記筒状フィルタを通過したサンプル水を、前記ヘッド部の排水流路から排出可能な構成であるので、連続的に大量のサンプル水を処理することができる。【００２９】
本発明の一態様の微生物サンプリング装置は、前記筒状フィルタを通過しない大きさの微生物が濃縮された濃縮水を排出する排出口を前記カップの底部に設け、前記カップの排出口から前記濃縮水を排出する濃縮水排水部を前記ハウジング部の底部に設けることとすれば、シンプルでコンパクトな構成によって前記カップ内に貯留される濃縮水を回収することができる。【００３０】
本発明の一態様の微生物サンプリング装置は、前記ハウジング部に残留するサンプル水を排出するサンプル水排水部を前記ハウジングの底部に設けることとすれば、シンプルでコンパクトな構成によって前記ハウジング内に残留するサンプル水をドレン排水することができる。【００３１】
本発明の一態様の微生物サンプリング装置は、前記筒状フィルタ内に供給されるサンプル水を旋回させる整流部を前記キャップの流路内に設けることとすれば、前記ヘッド部の給水流路から供給されるサンプル水を、前記フィルタ部の筒状フィルタ内に旋回流として供給することができるため、シンプルでコンパクトな構成によって前記筒状フィルタの内面に微生物を付着させることがなく、また、前記筒状フィルタの内面に微生物が付着した場合でも剥離させることができる。【００３２】
本発明の一態様の微生物サンプリング装置は、給水流路を有するベース部を備え、サンプル水を供給する給水配管を前記給水流路に接続可能とするので、前記給水配管を一体に組み込む必要がなく、シンプルでコンパクトな構成とすることができる。【００３３】
また、本発明の一態様の微生物サンプリング装置は、ベース部をハウジング部の下部に取り付けることで、前記ヘッド部の給水流路と前記フィルタ部の内部とを連通させることができるので、シンプルでコンパクトな構成とすることができる。【００３４】
さらに、本発明の一態様の微生物サンプリング装置は、ベース部の上部からハウジング部を取り外すことで、前記ハウジング部からフィルタ部を取り出すことができるので、前記ハウジング部の清掃や前記フィルタ部の筒状フィルタ（例えば、使い捨て可能な筒状フィルタとして）の交換等の作業が簡単に行える等、メンテナンス性にも優れる。【００３５】
本発明の一態様の微生物サンプリング装置は、排水流路をさらに有するベース部を備え、サンプル水を排出する排水配管を前記排水流路に接続可能とすれば、前記排水配管を一体に組み込む必要がなく、さらにシンプルでコンパクトな構成とすることができる。【００３６】
また、本発明の一態様の微生物サンプリング装置は、ベース部の上部にハウジング部を取り付けることで、前記ベース部の排水流路と前記フィルタ部の外部の空間を連通させることとすれば、オーバーフロー管を設ける必要がないことと相俟って、さらにシンプルでコンパクトな構成とすることができる。【００３７】
さらに、本発明の一態様の微生物サンプリング装置は、ベース部、ハウジング部及びフィルタ部を組み付けることで、前記ベース部の給水流路から供給されるサンプル水を、前記フィルタ部の筒状フィルタ内に供給可能とし、前記筒状フィルタを通過したサンプル水を、前記ベース部の排水流路から排出可能とするので、シンプルでコンパクトな構成となる。【００３８】
そして、本発明の一態様の微生物サンプリング装置は、ベース部の給水流路から供給されるサンプル水を、フィルタ部の筒状フィルタ内に供給可能とし、前記筒状フィルタを通過したサンプル水を、前記ヘッド部の排水流路から排出可能な構成であるので、連続的に大量のサンプル水を処理することができる。【００３９】
本発明の一態様の微生物サンプリング装置は、前記筒状フィルタを通過しない大きさの微生物が濃縮された濃縮水を排出するパイプを挿通することで、前記カップからの前記濃縮水を排出する濃縮水排水部を前記ベース部に設けることとすれば、シンプルでコンパクトな構成によって前記カップ内に貯留される濃縮水を回収することができる。【００４０】
本発明の一態様の微生物サンプリング装置は、前記ハウジング部に残留するサンプル水を排出するサンプル水排水部を前記ハウジングに設ける必要がなく、シンプルでコンパクトな構成とできる。【００４１】
本発明の一態様の微生物サンプリング装置は、背面にスタンドを有するフレームを備え、前記いずれかに記載の微生物サンプリング装置を前記フレームに固定する可搬式の装置とすることとすれば、持ち運びが容易となり、シンプルでコンパクトな構成と相俟って、サンプリングの現場に持ち込んで使用することが可能となる。【００４２】
また、本発明の一態様の微生物サンプリング装置は、前記可搬式の装置を背負い式フレームに取り付けることとすれば、一人の作業員によって容易に船舶に持ち込むことが可能となる。そして、バラスト水のサンプリングに際しては、可搬式とした微生物サンプリング装置を前記背負い式フレームから取り外し、前記スタンドを利用して設置することで安定した状態で使用することができる。
【発明の効果】
【００４３】
本発明により、シンプルでコンパクトな構成で、メンテナンス性にも優れる微生物サンプリング装置を提供できる。
【図面の簡単な説明】
【００４４】
【図１】本発明の実施の形態における微生物サンプリング装置の正面図。
【図２】図１の微生物サンプリング装置の縦断面図。
【図３】図１の微生物サンプリング装置の組立分解図。
【図４】図１の微生物サンプリング装置を可搬式装置とした場合の斜視図。
【図５】図４の装置の正面図。
【図６】図５の装置の左側面図。
【図７】本発明の他の実施形態における微生物サンプリング装置の縦断面図。
【図８】特許文献１に記載された水生生物のサンプリング装置。
【発明を実施するための形態】
【００４５】
本発明の実施の形態について図面を参照しながら説明する。
図１は本発明の実施の形態における微生物サンプリング装置の正面図を示す。図２は図１の微生物サンプリング装置の縦断面図を示す。図３は図２の微生物サンプリング装置の組立分解図を示す。
【００４６】
本発明の実施の形態における微生物サンプリング装置１は、ヘッド部２と、前記ヘッド部２が上部に着脱可能に取り付けられるハウジング部３と、前記ハウジング部３に収容されるフィルタ部４を備える。
【００４７】
前記ヘッド部２は、サンプル水を給排水するヘッド本体２１、前記ヘッド本体２１の下面外周部に形成される円筒部２２、前記ヘッド本体２１の下面であって前記円筒部２２よりも中心側に形成される環状シール部２３を有する。
【００４８】
前記ヘッド本体２１は、サンプル水を供給する給水流路２４、サンプル水を排出する排水流路２５を内部に有する。
前記給水流路２４は、前記ヘッド本体２１の側面に流入口２４１、前記ヘッド本体２１の下面中央に流出口２４２が形成されており、前記流入口２４１には、サンプリング水を供給する図示しない給水配管が接続可能とされる。
【００４９】
また、前記排水流路２５は、前記ヘッド本体２１の下面であって前記円筒部２２と前記環状シール部２３の間に流入口２５１、前記ヘッド本体２１の側面であって前記給水流路２４の流入口２４１と反対側の位置に流出口２５２が形成され、前記流出口２５２には、サンプリング水を排出する図示しない排水配管が接続可能とされる。
【００５０】
前記円筒部２２の外周面には、後述するハウジング本体３１の上部内周面に形成される雌ねじ部３１１に螺合する雄ねじ部２２１が形成されている。
また、前記ヘッド本体２１の上部には、前記給水流路２４及び前記排水流路２５にそれぞれ空気を取り入れる空気取り入れ部２６，２７が形成されている。
【００５１】
前記ハウジング部３は、上部が開口し、該上部開口から前記フィルタ部４を収容する筒状容器からなるハウジング本体３１、前記ハウジング本体３１の底部中央に立設される円筒状の嵌め合い凹部３２を有する。
【００５２】
前記ハウジング本体３１の底部にはドレン用配管３３が設けられ、前記ドレン用配管３３にはドレン用コック３４が設けられる。
【００５３】
前記ハウジング本体３１の底部中心には、前記嵌め合い凹部３２に連通するサンプル取り出し用配管３５が設けられる。前記サンプル取り出し用配管３５にはサンプル取り出し用コック３６が設けられる。
【００５４】
前記ハウジング本体３１の上部内周面には雌ねじ部３１１が形成されている。前記雌ねじ部３１１には前記ヘッド部２の円筒部２２外周面に形成される雄ねじ部２２１が螺合し、前記ハウジング部３の上部に前記ヘッド部２が着脱可能に取り付けられる。
【００５５】
前記フィルタ部４は、骨組み構造であってメッシュ状の補強筒４１、前記補強筒４１内に配設される樹脂製の筒状メッシュフィルタ４２、前記筒状メッシュフィルタ４２の下部開口に連通するカップ４３、前記筒状メッシュフィルタ４２の上部開口に連通する流路４４１を有するキャップ４４を有する。
【００５６】
前記カップ４３の底部中央には排出口４３１が設けられ、前記カップ４３の底部下面には前記排出口４３１に連通する円筒状の差し込み凸部４３２が垂下して設けられる。
【００５７】
前記キャップ４４の流路４４１内には、前記筒状メッシュフィルタ４２内に供給されるサンプル水を旋回させる整流部材４４２が配設される。また、前記キャップ４４の上面には環状パッキン４４３が装着される。
【００５８】
前記カップ４３は、下端が前記補強筒４１の下方へ露出する状態とされる前記筒状メッシュフィルタ４２の下部開口に該カップ４３の上部を挿入し、該カップ４３の上部をさらに係止用Ｏリング４５を介して前記補強筒４１の下部内面に嵌入することで、前記補強筒４１の下端に取り付けられる。
【００５９】
前記キャップ４４は、前記筒状メッシュフィルタ４２の上部を前記補強筒４１の上端で折り曲げて前記補強筒４１の外周面に係止用Ｏリング４６で係止した後、前記キャップ４４の下面に形成される円環状凹部４４４を前記補強筒４１の上端に嵌合させることで、前記補強筒４１の上端に取り付けられる。
【００６０】
図３に示すように、本発明の実施の形態における微生物サンプリング装置１は、ハウジング部３にフィルタ部４を収容し、その後、ヘッド部２を前記ハウジング部３の上部にねじ係合することで組み付けることができる。
【００６１】
前記ハウジング部３に前記フィルタ部４を収容する際は、前記カップ４３の差し込み凸部４３２を前記ハウジング本体３１の嵌め合い凹部３２に嵌め合い状態で差し込むことで、前記フィルタ部４の底部が前記ハウジング部３の底部で支持される。
【００６２】
また、前記ヘッド部２を前記ハウジング部３の上部にねじ係合する際は、前記ヘッド部２の円筒部２２外周面に形成される雄ねじ部２２１を前記ハウジング本体３１の上部内周面に形成される雌ねじ部３１１に螺合することで、前記ヘッド部２が前記ハウジング部３の上部に着脱可能に取り付けられる。
【００６３】
その際、前記ヘッド部２と前記ハウジング部３の両ねじ部の螺合にともない、前記ヘッド部２の環状シール部２３が、前記フィルタ部４のキャップ４４上面に装着される環状パッキン４４３に食い込むとともに、前記ヘッド部２の給水流路２４の流出口２４２下端部が前記キャップ４４の流路４４１の上端部に当接し、前記ヘッド部２の給水流路２４と前記キャップ４４の流路４４１が連通する。また、前記ヘッド部２の排水流路２５と前記ハウジング部３内であって前記フィルタ部４の外部の空間が連通する。
【００６４】
そして、前記ハウジング部３に収容されたフィルタ部４は、前記ヘッド部２と前記ハウジング部３の間で移動しないように保持される。
【００６５】
図２に示すように、本発明の実施の形態における微生物サンプリング装置１において、図示しない給水用配管から供給されるサンプル水は、前記ヘッド部２のヘッド本体２１に形成される給水流路２４から前記フィルタ部４のキャップ４４に形成される流路４４１を介して前記筒状メッシュフィルタ４２内に供給される。
【００６６】
そして、前記筒状メッシュフィルタ４２を通過したサンプル水は、前記ハウジング部３内であって前記フィルタ部４の外部の空間に至り、前記ヘッド部２のヘッド本体２１に形成される排水流路２５から排出される。その際、前記筒状メッシュフィルタ４２を通過することができないＬサイズの大きさの微生物は前記筒状メッシュフィルタ４２内にとどまることとなる。
【００６７】
ここで、前記キャップ４４の流路４４１内には、前記筒状メッシュフィルタ４２内に供給されるサンプル水を旋回させる整流部材４４２が設けられている。そのため、前記ヘッド本体２１の給水流路２４から供給されるサンプル水を、前記筒状メッシュフィルタ４２内に旋回流として供給することができるため、前記筒状メッシュフィルタ４２の内面に微生物が付着することがなく、また、前記筒状メッシュフィルタ４２の内面に微生物が付着した場合でも剥離させることができる。
【００６８】
所定量のサンプル水を供給した後は、前記ハウジング部３に設けられるドレン用コック３４を開くことで、前記ハウジング本体３１内部に残留するサンプル水を前記ドレン用配管３３から排出することができる。
【００６９】
また、前記ハウジング本体３１内部に残留するサンプル水を排出した後は、前記ハウジング部３に設けられるサンプル取り出し用配管３５を開くことで、前記カップ４３内に貯留される前記筒状メッシュフィルタ４２を通過しない大きさの微生物が濃縮された濃縮水を前記サンプル取り出し用配管３５から回収することができる。
【００７０】
本発明の実施の形態における微生物サンプリング装置１は、ヘッド部２のヘッド本体２１が、サンプル水を供給する給水流路２４及びサンプル水を排出する排水流路２５を内部に有し、サンプル水を供給する給水配管を前記給水流路２４に、サンプル水を排出する排水配管を前記排水流路２５にそれぞれ接続可能とするので、特許文献１に記載されたサンプリング装置のように給水配管や排水配管を一体に組み込む必要がなく、シンプルでコンパクトな構成とすることができる。
【００７１】
また、本発明の実施の形態における微生物サンプリング装置１は、ヘッド部２の給水流路２４から供給されるサンプル水を、フィルタ部４の筒状メッシュフィルタ４２内に供給可能とし、前記筒状メッシュフィルタ４２を通過したサンプル水を、前記ヘッド部２の排水流路２５から排出可能とするので、特許文献１に記載されたサンプリング装置のようにオーバーフロー管を設ける必要がなく、シンプルでコンパクトな構成とすることができる。
【００７２】
本発明の実施の形態における微生物サンプリング装置１は、ヘッド部２をハウジング部３の上部から取り外すことで、前記ハウジング部３の内部からフィルタ部４を取り出すことができるので、前記ハウジング部３等の清掃や前記筒状メッシュフィルタ４２（例えば、使い捨て可能な筒状フィルタとして）の交換等の作業が簡単に行える等、メンテナンス性に優れるものである。
【００７３】
また、本発明の実施の形態における微生物サンプリング装置１は、ヘッド部２の給水流路２４から供給されるサンプル水を、フィルタ部４の筒状メッシュフィルタ４２内に供給可能とし、前記筒状メッシュフィルタ４２を通過したサンプル水を、前記ヘッド部２の排水流路から排出可能な構成であるので、連続的に大量のサンプル水を処理することができる。
【００７４】
図４は図１の微生物サンプリング装置１を可搬式の装置とした場合の斜視図を示す。図５は図４の装置の正面図を示す。図６は図５の装置においてフレームの左側板を取り外した状態の左側面図を示す。
本発明の実施の形態における微生物サンプリング装置１は、背面にスタンド５２、底面にフット金具５３を有するフレーム５１に固定することで可搬式微生物サンプリング装置５とすることができる。図４〜図６に示す例では、前記フレーム５１は一面が開口した箱型形状である。
【００７５】
図４〜図６に示すように、本発明の実施の形態における微生物サンプリング装置１を可搬式の装置５とする場合、例えばサンプル水を微生物サンプリング装置１へ給水する給水配管５４、及びサンプル水を微生物サンプリング装置１から排出する排水配管５５を、前記フレーム５１に一体に取り付けておくことができる。また、前記排水配管５５にはサンプル水の流量を計測するための流量計５６を設けておくことができる。
【００７６】
前記給水配管５４、及び前記排水配管５５の各端部に各種配管に接続可能なジョイント５４１，５５１を備えておけば、配管の種類を選ぶことなくサンプル水の供給管に接続することができる。
【００７７】
前記排水配管５５の途中には、第２サンプル取り出し用配管５７を設けることができる。また、前記第２サンプル取り出し用配管５７には第２サンプル取り出し用コック５８を設けることができる。
前記可搬式微生物サンプリング装置５にサンプル水を供給する間に、前記第２サンプル取り出し用コック５８を開くことで、前記フィルタ部４の筒状メッシュフィルタ４２を通過するＳサイズの大きさの微生物を含むサンプル水を前記第２サンプル取り出し用配管５７から抽出することができる。
【００７８】
本発明の実施の形態において、前記微生物サンプリング装置１を可搬式の装置５とすれば、持ち運びが容易となり、シンプルでコンパクトな構成と相俟って、サンプリングの現場に持ち込んで使用することが可能となる。
【００７９】
また、本発明実施の形態において、前記可搬式微生物サンプリング装置５を図示しない背負い式フレームに取り付けることとすれば、一人の作業員によって容易に船舶に持ち込むことが可能となる。そして、バラスト水のサンプリングに際しては、可搬式微生物サンプリング装置５を前記背負い式フレームから取り外し、前記スタンド５２と前記フット金具５３を利用して設置することで安定した状態で使用することができる。
【００８０】
上記本発明の実施の形態では、フィルタ部４において樹脂製の筒状メッシュフィルタ４２を使用することとしたが、他の筒状のフィルタを使用することもできる。
【００８１】
本発明の他の実施形態における微生物サンプリング装置を説明する。図７は本発明の他の実施形態における微生物サンプリング装置の縦断面図である。微生物サンプリング装置１００は、ベース部１０１と、ベース部１０１の上部に着脱可能に取り付けられるハウジング部１０２と、ハウジング部１０２に収容されるフィルタ部１０３を備える。
【００８２】
ベース部１０１には、サンプル水を給排水するベース本体１０１０、ベース本体１０１０の上面外周部に形成される円筒部１０１１、ベース本体１０１０の上面であって円筒部１０１１よりも中心側に形成される環状シール部１０１２を有する。
【００８３】
フィルタ部１０３は、骨組み構造であって水流を調整する整流筒１０３１、整流筒１０３１の外部に配設される濾過用メッシュフィルタ１０３２、濾過用メッシュフィルタ１０３２の下部開口に連通するサンプルカップ１０３３を有する。整流筒１０３１は上部にキャップ１０３１ａを有する。サンプルカップ１０３３の底部中央には後述するパイプ１０１７が貫通可能な開口１０３３ａが設けられている。そして、サンプルカップ１０３３は、動的な水流の流れを静的に抑制できる作用があるので、微生物への水流によるダメージを極力低減することができる。なお、パイプ１０７１を用いなくてもよいが、微生物への水流によるダメージを極力低減するにはパイプ１０７１を用いることが好ましい。
【００８４】
ベース本体１０１０は、サンプル水を供給する給水流路１０１３、サンプル水を排出する排水流路１０１４を内部に有する。給水流路１０１３は、ベース本体１０１０の側面に流入口１０１３ａと、ベース本体１０１０の上面中央に流出口１０１３ｂが設けられている。流入口１０１３ａには、サンプリング水を供給する図示しない給水配管が接続可能とされる。
【００８５】
ベース本体１０１０の上面中央には、流出口１０１３ｂにパイプ１０１７が設けられている。パイプ１０１７は、フィルタ部１０３をベース部１０１に装着したとき、その先端部が、キャップ１０３１ａにとどかない高さとすることが好ましい。パイプ１０１７の所定の位置の側面に貫通穴１０１７ａが１つ以上設けられている。貫通穴１０１７ａは、サンプルカップ１０１３に溜まった濃縮されたサンプル水が、パイプ１０１７内を通って、微生物サンプリング装置１００の外部で回収するために設けられている。また、ベース本体１０１０の下部には、サンプル水排水用のサンプル水取出しコック１０１６が設けられている。
【００８６】
排水流路１０１４は、ベース本体１０１０の上面であって円筒部１０１１と環状シール部１０１２との間に流入口１０１４ａ、ベース本体１０１０の側面であって給水管１０１３の流入口１０１３ａと反対側の位置に流出口１０１４ｂが形成されている。流出口１０１４ｂには、サンプリング水を排出する図示しない配管が接続可能とされる。  
【００８７】
ハウジング部１０２は、下部が開口し、前記開口からフィルタ部１０３を収容する筒状容器からなるハウジング本体１０２１を有する。ハウジング部１０２をベース部１０１に取り付けるときには、ゴムパッキン１０１５ａを用いて水密にしている。
【００８８】
円筒部１０１１の外周面には、ハウジング部１０２のハウジング本体１０２１の下部内周面に形成される雌ネジ部（図示せず）と螺合する雄ネジ部（図示せず）が形成される。
【００８９】
ハウジング部１０２をベース部１０１に取り付ける前に、フィルタ部１０３をベース部１０１に装着する。パイプ１０１７の先端側からサンプルカップ１０３３に設けられた開口１０３３ａにパイプ１０１７を貫通させ、サンプルカップ１０３３を環状シール部１０１２に位置決めして固定する。
【００９０】
濾過用メッシュフィルタ１０３２は、整流筒１０３１の外部に配設され、キャップ１０３１ａ、整流筒１０３１の側面を覆い、その下部がサンプルカップ１０３３の上部の外周を覆う。濾過用メッシュフィルタ１０３２の上からさらに係止用環状部材１０３７を用いて、濾過用メッシュフィルタ１０３２の下端部とサンプルカップ１０３３の上部とを締め付けて固定する。
【００９１】
サンプルカップ１０３３の底面にはゴムパッキン１０１５ｂが配設されている。ゴムパッキン１０１５ｂは、パイプ１０１７の外周面とサンプルカップ１０３３の開口１０３３ａの内周面との隙間から、濃縮されたサンプル水が流出するのを防止する。パイプ１０１７に設けられる貫通穴１０１７ａは、パッキン１０１５ｂの上面の位置に設けることで、サンプリングカップ１０３３内に溜まったサンプル水を全て排出できる。
【００９２】
図７に示すように、微生物サンプリング装置１００において、図示しない給水用配管から供給されるサンプル水は、ベース部１０１のベース本体に形成される給水流路１０１３から流入し、サンプル水がフィルタ部３の内部に噴水状に吹き上がるパイプ１０１７から、フィルタ部１０３の内部に噴出する。
【００９３】
パイプ１０１７から噴出したサンプル水は、骨組み構造の整流筒１０３１及びキャップ１０３１ａの隙間を通過することで整流され、濾過用メッシュフィルタ１０３２に内側からサンプル水が供給される。そして、濾過用メッシュフィルタ１０３２を通過してサンプル水は、ハウジング部１０２の内部であって、フィルタ部１０３の外部の空間に至り、ベース部１０１に形成される排水流路１０１４から排出される。所定量のサンプル水を供給した後は、ハウジング内に濾過された後のサンプル水は滞留せず、排水流路１０１４を介してハウジング部３の外部に排出される。
【００９４】
濾過用メッシュフィルタ１０３２を通過することができないＬサイズの大きさの微生物は、濾過用メッシュフィルタ１０３２の内部にとどまることになる。
【００９５】
濃縮されたサンプル水はサンプルカップ１０３３内に溜まる。サンプル水の供給を停止すると、サンプルカップ１０３３及びパイプ１０１７内に水が溜まった状態となっている。この状態から、サンプル水取出しコック１０１６を開けると、濃縮したサンプル水を回収することができる。
【００９６】
この実施形態では、ハウジング部に配管およびサンプル水の供給および排水用の開口を設ける必要がなく、構成が容易である。また、所定量のサンプル水の供給後は、濃縮されたサンプル水の回収を、サンプル水取出しコック１０１６を開くことでよく、操作が簡略化される。ハウジング部１０２内に濾過されたサンプル水が滞留しない。
【００９７】
また、上記本発明の実施の形態では、バラスト水中に存在するプランクトン等の微生物をサンプリングする場合を例としたが、例えば河川水や下水等、その他の水中に存在する微生物をサンプリングする場合にも利用できる。
なお、本明細書ではヘッド部２とベース部１０１とを総称して蓋部という。
【００９８】
本発明は、上記実施の形態に限るものでなく発明の範囲を逸脱しない限りにおいて、その構成を適宜変更できることはいうまでもない。
【産業上の利用可能性】
【００９９】
本発明の微生物サンプリング装置は、シンプルでコンパクトな構成で、メンテナンス性にも優れるものであり、実用的な価値が高い。
【符号の説明】
【０１００】
１      微生物サンプリング装置
２      ヘッド部
２１      ヘッド本体
２２      円筒部
２２１      雄ねじ部
２３      環状シール部
２４      給水流路
２４１      流入口
２４２      流出口
２５      排水流路
２５１      流入口
２５２      流出口
２６      空気取り入れ部
２７      空気取り入れ部
３      ハウジング部
３１      ハウジング本体
３１１      雌ねじ部
３２      嵌め合い凹部
３３      ドレン用配管
３４      ドレン用コック
３５      サンプル取り出し用配管
３６      サンプル取り出し用コック
４      フィルタ部
４１      補強筒
４２      筒状メッシュフィルタ
４３      カップ
４３１      排出口
４３２      差し込み凸部
４４      キャップ
４４１      流路
４４２      整流部材
４４３      環状パッキン
４４４      円環状凹部
４５      係止用Ｏリング
４６      係止用Ｏリング
５      可搬式微生物サンプリング装置
５１      フレーム
５２      スタンド
５３      フット金具
５４      給水配管
５４１      ジョイント
５５      排水配管
５５１      ジョイント
５６      流量計
５７      第２サンプル取り出し用配管
５８      第２サンプル取り出し用コック
１００  微生物サンプリング装置
１０１  ベース部
１０１０  ベース本体
１０１１  円筒部
１０１２  環状シール部
１０１３  給水流路
１０１３ａ  流入口
１０１３ｂ  流出口
１０１４  排水流路
１０１４ａ  流入口
１０１４ｂ  流出口
１０１５ａ  ゴムパッキン
１０１５ｂ  ゴムパッキン
１０１６  サンプル水取出しコック
１０１７  パイプ
１０１７ａ  貫通穴
１０２  ハウジング部
１０２１  ハウジング本体
１０３  フィルタ部
１０３１  整流筒
１０３１ａ  キャップ
１０３２  濾過用メッシュフィルタ
１０３３  サンプルカップ
１０３３ａ  開口
１０３７  係止用環状部材
【図１】
2018151316.tif 000003
【図２】
2018151316.tif 000004
【図３】
2018151316.tif 000005
【図４】
2018151316.tif 000006
【図５】
2018151316.tif 000007
【図６】
2018151316.tif 000008
【図７】
2018151316.tif 000009
【図８】
2018151316.tif 000010
【国際調査報告】
2018151316.tif 000011
2018151316.tif 000012
2018151316.tif 000013
2018151316.tif 000014